(57)【要約】【課題】気泡の発生を防止するために簡易的な構造を有する粘着シート及び粘着シート貼付構造を提供すること。【解決手段】基材（２）の片面に粘着剤層（３）が設けられ、複数の凹部（４ｂ）または貫通孔（４ｃ）が貼付面（４ａ）に形成された被貼付部材（４）に貼り付けるための粘着シート（１）であって、貼付面（４ａ）への貼付時に複数の凹部（４ｂ）または貫通孔（４ｃ）に対応するように、粘着剤層（３）に複数の凹部（３ａ）が形成されている。【選択図】図１
2010090207.tif 000002
【特許請求の範囲】
【請求項１】
基材の片面に粘着剤層が設けられ、複数の凹部または貫通孔が貼付面に形成された被貼付部材に貼り付けるための粘着シートであって、
前記貼付面への貼付時に前記複数の凹部または貫通孔に対応するように、前記粘着剤層に複数の凹部が形成されていることを特徴とする粘着シート。
【請求項２】
基材の片面に粘着剤層が設けられた粘着シートを被貼付部材の貼付面に貼り付けた粘着シート貼付構造であって、
前記被貼付部材の貼付面に複数の凹部または貫通孔が形成され、前記貼付面への貼付時に前記複数の凹部または貫通孔に対応するように、前記粘着シートの前記粘着剤層に複数の凹部が形成されていることを特徴とする粘着シート貼付構造。
【発明の詳細な説明】
【技術分野】
【０００１】
本発明は、粘着シートおよび粘着シート貼付構造に関するものである。
【背景技術】
【０００２】
従来、粘着シートを農機具用メータの見返しに貼り付ける時に、何も工夫されておらず、気泡（空気溜まり）ができてしまう。
【０００３】
そこで、図６に示すように、粘着シート１として、粘着剤層３側に基材２の側端部まで連続する凹溝２１が設けられている基材２と、粘着剤層を厚さ方向に貫通する貫通路３１が複数形成されている粘着剤層とを、基材２の凹溝２１および粘着剤層３の貫通路３１が連通するように積層したものがある。
【特許文献１】特開２００５−１１３０８５号公報
【発明の開示】
【発明が解決しようとする課題】
【０００４】
しかしながら、上述の粘着シートは、製造方法が複雑であり、コストが掛かるという問題がある。
【０００５】
そこで本発明は、上述した課題に鑑み、気泡の発生を防止するために簡易的で安価な構成を有する粘着シート及び粘着シート貼付構造を提供することを目的としている。
【課題を解決するための手段】
【０００６】
上記課題を解決するためになされた請求項１記載の発明は、基材（２）の片面に粘着剤層（３）が設けられ、複数の凹部（４ｂ）または貫通孔（４ｃ）が貼付面（４ａ）に形成された被貼付部材（４）に貼り付けるための粘着シート（１）であって、前記貼付面（４ａ）への貼付時に前記複数の凹部（４ｂ）または貫通孔（４ｃ）に対応するように、前記粘着剤層（３）に複数の凹部（３ａ）が形成されていることを特徴とする。
【０００７】
上記課題を解決するためになされた請求項２記載の発明は、基材（２）の片面に粘着剤層（３）が設けられた粘着シート（１）を被貼付部材（４）の貼付面（４ａ）に貼り付けた粘着シート貼付構造であって、前記被貼付部材（４）の貼付面（４ａ）に複数の凹部４ｂまたは貫通孔（４ｃ）が形成され、前記貼付面（４ａ）への貼付時に前記複数の凹部（４ｂ）または貫通孔（４ｃ）に対応するように、前記粘着シート（１）の前記粘着剤層（３）に複数の凹部（３ａ）が形成されていることを特徴とする。
【０００８】
なお、上述の課題を解決するための手段の説明におけるかっこ書きの符号は、以下の発明の実施の形態の説明における構成要素および参照符号に対応しているが、これらは、特許請求の範囲の解釈を限定するものではない。
【発明の効果】
【０００９】
請求項１記載の発明の粘着シートによれば、気泡を作ることなくスムーズに貼り付け工程を行うことができる粘着シートが得られる。また、本発明の粘着シートは、気泡を発生させないように貼り付けることができるため密着性が向上し、はがれ防止、防水などの効果があり、製品の信頼性向上に繋げることができる。
【００１０】
請求項２記載の発明の粘着シート貼付構造によれば、気泡を作ることなくスムーズに貼り付け工程を行うことができる。また、気泡を発生させないように貼り付けることができるため密着性が向上し、はがれ防止、防水などの効果があり、製品の信頼性向上に繋げることができる。
【発明を実施するための最良の形態】
【００１１】
以下、本発明の実施の形態について図面を参照して説明する。
【００１２】
（第１の実施形態）図１は、本発明の第１の実施形態に係る粘着シートを用いた粘着シート貼付構造を示す断面図である。
【００１３】
図１において、基材２の片面に粘着剤層３が設けられている粘着シート１が、被貼付部材４の貼付面４ａに貼り付けられている。被貼付部材４の貼付面４ａには、任意の間隔をおいて所定の分布密度で複数の凹部４ｂが形成されている。粘着シート１の粘着剤層３には、貼付面４ａへの貼付時に複数の凹部４ｂにそれぞれ合致する位置に、複数の凹部３ａが形成されている。
【００１４】
このような構成により、粘着シート１を被貼付部材４の貼付面４ａに貼り付ける際には、図示しない剥離材を粘着剤層３からはがし、露出した粘着剤層３を被貼付部材４の貼付面４ａに密着させるようにして、粘着シート１を押し当てる。
【００１５】
このとき、被貼付部材４の貼付面４ａと粘着シート１の粘着剤層３との間の空気は、粘着シート１の側端から外側に抜けていくが、抜けきれずに貼付面４ａと接着剤層３との間に気泡ができた場合には、その周辺部を再度押圧することにより、気泡を粘着剤層３の凹部３ａと貼付面４ａに形成された凹部４ｂとで作られる空間に押しやることができ、気泡が消失する。このような気泡の除去は、粘着シートの貼付完了から時間が経過した後でも可能である。
【００１６】
（第２の実施形態）次に、図２は、本発明の第２の実施形態に係る粘着シートを用いた粘着シート貼付構造を示す断面図である。
【００１７】
第２の実施形態では、被貼付部材４の貼付面４ａには、上述の第１の実施形態における凹部４ｂに代えて、貫通孔４ｃが形成されている。この実施形態では、貫通孔４ｃは、たとえば円形の孔とされ、その直径は、凹部３ａの幅よりも小さく設定されている。
【００１８】
このような構成により、粘着シート１を被貼付部材４の貼付面４ａに貼り付ける際には、図示しない剥離材を粘着剤層３からはがし、露出した粘着剤層３を被貼付部材４の貼付面４ａに密着させるようにして、粘着シート１を押し当てる。
【００１９】
このとき、被貼付部材４の貼付面４ａと粘着シート１の粘着剤層３との間の空気は、粘着シート１の側端から外側に抜けていくと共に、貫通孔４ｃからも抜けていくが、抜けきれずに貼付面４ａと接着剤層３との間に気泡ができた場合には、その周辺部を再度押圧することにより、気泡を粘着剤層３の凹部３ａと貼付面４ａで形成された空間に押しやることができ、それにより、空気が貫通孔４ｃから外部へ抜けていき、気泡は消失する。このような気泡の除去は、粘着シートの貼付完了から時間が経過した後でも可能である。
【００２０】
以上の通り第１及び第２の実施形態で説明したように、本発明によれば、気泡を作ることなくスムーズに貼り付け工程を行うことができる。また、はがれ防止、防水などの効果があり、製品の信頼性向上に繋げることができる。
【００２１】
なお、被貼付部材４の貼付面４ａに形成される複数の凹部４ｂは、任意の間隔をおいて所定の分布密度で設けられているが、この間隔および分布密度は、気泡ができにくいように設定されるか、あるいは、できてしまった気泡を、凹部３ａおよび凹部４ｂ（または貫通孔４ｃ）で作られる空間に容易に押しやることができるように設定される。
【実施例】
【００２２】
次に、本発明を農機具用メータに適用した場合について説明する。
【００２３】
図３〜図６は、本発明を農機具用メータに適用した場合を示す図であり、図３は農機具メータの操作板の正面図、図４は粘着シートの正面図、図５は粘着シートの貼付過程を示す斜視図である。
【００２４】
図３に示すように、農機具メータの操作板１１は、樹脂により一体形成されており、中央に形成された長方形凹部に操作パネル１２が配置され、操作パネル１２の下部には、プッシュスイッチとして作用する３個のスイッチ機構部１３が配置されている。操作パネル１２には、液晶ディスプレイ等からなる表示部１２ａと、警告表示部１２ｂと、装飾板１２ｃとが配置されている。スイッチ機構部１３は、スイッチリーブ１３ａを有している。操作板１１の表面において、スイッチ機構部１３の間と、スイッチ機構部１３と操作板１１の外縁の間には、円形の凹部４ｂが形成されている。
【００２５】
図４に示すように、操作板１１に貼付される粘着シート１は、操作パネル１２に対応する位置に長方形状に形成された開口部１ａと、３個のスイッチ機構部１３にそれぞれ対応する位置に凸状に形成された３個のスイッチボタン部１ｂとを有している。粘着シート１の粘着剤層３には、スイッチボタン部１ｂの間と、スイッチボタン部１ｂと粘着シート１の外縁の間であって貼付時の凹部４ｂに対応する位置に、長溝状の凹部３ａが形成されている。
【００２６】
図５に示すように、農機具用メータは、操作板１１の外縁下部に設けられた係止爪１７が、ケース１８の外縁上部に設けられた係止部１９に係止されることにより、組み立てられている。操作板１１のスイッチ機構部１３の近傍には、ランプケース１６が配置されている。
【００２７】
粘着シート１は、操作板１１の形状に合わせて一方の端部、たとえば図５における右端から操作板１１の表面（貼付面）に密着させるように押し当てて貼付される。
【００２８】
このとき、粘着シート１の開口部１ａの上部は、幅の狭い帯状になっているため、貼付時に貼付面と粘着剤層３の間に気泡は発生しない。
【００２９】
また、粘着シート１の開口部１ａの下部は、上部よりも幅の広い帯状になっているが、凹部３ａ及び凹部４ｂで形成される空間の存在のため、貼付時に貼付面と粘着剤層３の間に気泡は発生しないかもしくは発生しにくくなっている。
【００３０】
そして、貼付時に、貼付面と粘着剤層３の間に気泡が発生したとしても、その周辺部を再度押圧することにより、気泡を粘着剤層３の凹部３ａと貼付面に形成された凹部４ｂで作られる空間に押しやることができ、それにより、気泡は消失する。
【００３１】
このように、粘着シート１が貼付された農機具用メータは、粘着シート１の貼付時に気泡が発生しないのではがれ防止の効果があり、また粘着シート１の存在により防水の効果があり、製品の信頼性向上に繋げることができる。
【００３２】
以上の通り、本発明の実施の形態について説明したが、本発明はこれに限らず、種々の変形、応用が可能である。
【００３３】
たとえば、凹部３ａと凹部４ｂ（または貫通孔４ｃ）は、任意の形状とすることができ、またその寸法も合致させる必要がなく、被貼付部材４に粘着シート１を貼付した時に、凹部３ａでできる空間と凹部４ｂ（または貫通孔４ｃ）とでできる空間が連通して、１つの空間が形成されるようにすれば良い。
【図面の簡単な説明】
【００３４】
【図１】本発明の第１の実施形態に係る粘着シートを用いた粘着シート貼付構造を示す断面図である。（第１の実施形態）
【図２】本発明の第２の実施形態に係る粘着シートを用いた粘着シート貼付構造を示す断面図である。（第２の実施形態）
【図３】本発明を農機具用メータに適用した場合のメータの操作板の正面図である。（実施例）
【図４】本発明を農機具用メータに適用した場合の粘着シートの正面図である。（実施例）
【図５】本発明を農機具用メータに適用した場合の粘着シートの貼付過程を示す斜視図である。（実施例）
【図６】従来の粘着シートの構成例を示す図であり、（Ａ）は断面図、（Ｂ）は基材の裏面の平面図である。（従来例）
【符号の説明】
【００３５】
１    粘着シート
２    基材
３    粘着剤層
３ａ  凹部
４    被貼付部材
４ａ  貼付面
４ｂ  凹部
４ｃ  貫通孔
【図１】
2010090207.tif 000003
【図２】
2010090207.tif 000004
【図３】
2010090207.tif 000005
【図４】
2010090207.tif 000006
【図５】
2010090207.tif 000007
【図６】
2010090207.tif 000008